【手続補正書】
【提出日】平成20年4月2日(2008.4.2)
【手続補正１】
【補正対象書類名】特許請求の範囲
【補正対象項目名】全文
【補正方法】変更
【補正の内容】
【特許請求の範囲】
【請求項１】
画像形成のためのデータをアーカイブするアーカイブサーバと接続し、情報処理装置から受信したデータに基づいて画像を形成する画像形成装置であって、
受信したデータが前記情報処理装置によって前記アーカイブサーバにアーカイブ済かどうかを判定する判定手段と、
前記判定手段によりアーカイブ済と判定された場合に前記受信したデータに基づく画像形成を行うよう制御し、アーカイブ済でないと判定された場合に前記受信したデータに基づく画像形成を行わないよう制御する制御手段と、
を有することを特徴とする画像形成装置。
【請求項２】
画像形成のためのデータをアーカイブするアーカイブサーバと接続し、情報処理装置から受信したデータに基づいて画像を形成する画像形成装置であって、
受信したデータを前記アーカイブサーバへアーカイブさせるためのアーカイブ手段と、
受信したデータが前記情報処理装置によって前記アーカイブサーバにアーカイブ済かどうかを判定する判定手段と、
前記判定手段によりアーカイブ済と判定された場合には前記アーカイブ手段に前記受信したデータを前記アーカイブサーバへアーカイブさせることなく前記受信したデータに基づく画像形成を行うよう制御し、アーカイブ済でないと判定された場合に前記アーカイブ手段に前記受信したデータを前記アーカイブサーバにアーカイブさせるとともに前記受信したデータに基づく画像形成を行うよう制御する制御手段と、
を有することを特徴とする画像形成装置。
【請求項３】
前記判定手段によりアーカイブ済でないと判定された場合、前記情報処理装置に対して、アーカイブ機能を具備するよう促す旨の通知を行う通知手段を更に有することを特徴とする請求項１または２に記載の画像形成装置。
【請求項４】
前記通知手段は、アーカイブ機能を具備したソフトウェアの取得先情報を含む通知を行うことを特徴とする請求項３に記載の画像形成装置。
【請求項５】
前記ソフトウェアの取得先情報は、前記ソフトウェアの格納箇所を示す情報であることを特徴とする請求項４に記載の画像形成装置。
【請求項６】
前記ソフトウェアの格納箇所を示す情報はＵＲＬであることを特徴とする請求項５に記載の画像形成装置。
【請求項７】
前記判定手段によりアーカイブ済でないと判定された場合、アーカイブ機能を具備したソフトウェアを保持している配布サーバに前記情報処理装置を特定する情報を送信して、当該情報処理装置に前記アーカイブ機能を具備したソフトウェアを送信するように指示する指示手段を更に有することを特徴とする請求項１乃至６のいずれか１項に記載の画像形成装置。
【請求項８】
前記受信したデータが前記情報処理装置によってアーカイブ済みの場合、前記データには前記情報処理装置によってアーカイブ済みであることを示す情報が設定されており、前記判定手段は、前記データに前記アーカイブ済みであることを示す情報が設定されているか否かに基づいて前記受信したデータが前記情報処理装置によってアーカイブ済みであるか否かを判定することを特徴とする、請求項１乃至７のいずれか１項に記載の画像形成装置。
【請求項９】
少なくとも１つの情報処理装置、画像形成装置及びアーカイブサーバがネットワークを介して接続されたアーカイブシステムであって、
前記情報処理装置から前記アーカイブサーバにデータを転送してアーカイブさせる手段と、
前記データに前記アーカイブサーバにアーカイブ済であることを示す情報を設定して前記情報処理装置から前記画像形成装置に送信させる手段と、
前記アーカイブ済であることを示す情報を含むデータを受信した前記画像形成装置において、当該データを前記アーカイブサーバにアーカイブさせることなく前記データに基づく画像形成を行わせる手段と、
を有することを特徴とするアーカイブシステム。
【請求項１０】
少なくとも１つの情報処理装置、画像形成装置及びアーカイブサーバがネットワークを介して接続したアーカイブシステムであって、
前記情報処理装置から前記画像形成装置にデータを転送する手段と、
前記画像形成装置において、前記データにアーカイブ済であることを示す情報が設定されているかどうかを判定する判定手段と、
前記判定手段で前記アーカイブ済であることを示す情報が設定されていないと判定した場合、前記データを前記アーカイブサーバにアーカイブさせる手段と、
前記判定手段で前記アーカイブ済であることを示す情報が設定されていないと判定した場合、前記画像形成装置から前記情報処理装置に対してアーカイブ機能を具備するよう促す旨の通知を行わせる通知手段と、
を有することを特徴とするアーカイブシステム。
【請求項１１】
更に前記ネットワークに接続され、アーカイブ機能を具備したソフトウェアを情報処理装置に対して配信可能な配布サーバを有し、
前記画像形成装置は、前記判定手段で前記アーカイブ済であることを示す情報が設定されていないと判定した場合、前記配布サーバに対して前記データを送信した情報処理装置の情報を通知する手段を更に有することを特徴とする請求項１０に記載のアーカイブシステム。
【請求項１２】
前記配布サーバは、前記情報処理装置の情報に基づいて当該情報処理装置に前記アーカイブ機能を具備した対応するソフトウェアを送信することを特徴とする請求項１１に記載のアーカイブシステム。
【請求項１３】
画像形成のためのデータをアーカイブするアーカイブサーバと接続し、情報処理装置から受信したデータに基づいて画像を形成する画像形成装置の制御方法であって、
受信したデータが前記情報処理装置によって前記アーカイブサーバにアーカイブ済かどうかを判定する判定工程と、
前記判定工程でアーカイブ済と判定した場合に前記受信したデータに基づく画像形成を行い、アーカイブ済でないと判定した場合に前記受信したデータに基づく画像形成を行わないよう制御する制御工程と、
を有することを特徴とする画像形成装置の制御方法。
【請求項１４】
画像形成のためのデータをアーカイブするアーカイブサーバと接続し、情報処理装置から受信したデータに基づいて画像を形成する画像形成装置の制御方法であって、
受信したデータを前記アーカイブサーバへアーカイブさせるためのアーカイブ工程と、
受信したデータが前記情報処理装置によって前記アーカイブサーバにアーカイブ済かどうかを判定する判定工程と、
前記判定工程においてアーカイブ済と判定した場合には前記アーカイブ工程において前記受信したデータを前記アーカイブサーバへアーカイブさせることなく前記受信したデータに基づく画像形成を行うよう制御し、アーカイブ済でないと判定した場合に前記アーカイブ工程において前記受信したデータを前記アーカイブサーバにアーカイブさせるとともに前記受信したデータに基づく画像形成を行うよう制御する制御工程と、
を有することを特徴とする画像形成装置の制御方法。
【請求項１５】
少なくとも１つの情報処理装置、画像形成装置及びアーカイブサーバをネットワークを介して接続したアーカイブシステムの制御方法であって、
前記情報処理装置から前記アーカイブサーバにデータを転送してアーカイブさせる工程と、
前記データに前記アーカイブサーバにアーカイブ済であることを示す情報を設定して前記情報処理装置から前記画像形成装置に送信させる工程と、
前記アーカイブ済であることを示す情報を含むデータを受信した前記画像形成装置において、当該データを前記アーカイブサーバにアーカイブさせることなく前記データに基づく画像形成を行わせる工程と、
を有することを特徴とするアーカイブシステムの制御方法。
【請求項１６】
少なくとも１つの情報処理装置、画像形成装置及びアーカイブサーバをネットワークを介して接続したアーカイブシステムの制御方法であって、
前記情報処理装置から前記画像形成装置にデータを転送する工程と、
前記画像形成装置において、前記データにアーカイブ済であることを示す情報が設定されているかどうかを判定する判定工程と、
前記判定工程で前記アーカイブ済であることを示す情報が設定されていないと判定した場合、前記データを前記アーカイブサーバにアーカイブさせる工程と、
前記判定工程で前記アーカイブ済であることを示す情報が設定されていないと判定した場合、前記画像形成装置から前記情報処理装置に対してアーカイブ機能を具備するよう促す旨の通知を行わせる通知工程と、
を有することを特徴とするアーカイブシステムの制御方法。
【請求項１７】
更に前記ネットワークに接続され、アーカイブ機能を具備したドライバを情報処理装置に対して配信することが可能な配布サーバを有し、
前記画像形成装置は、前記判定工程で前記アーカイブ済であることを示す情報が設定されていないと判定した場合、前記配布サーバに対して前記データを送信した情報処理装置の情報を通知する工程を更に有することを特徴とする請求項１６に記載のアーカイブシステムの制御方法。
【請求項１８】
前記配布サーバは、前記情報処理装置の情報に基づいて当該情報処理装置に前記アーカイブ機能を具備した対応するソフトウェアを送信することを特徴とする請求項１７に記載のアーカイブシステムの制御方法。
【請求項１９】
請求項１３乃至１８のいずれか１項に記載の制御方法をコンピュータに実行させるためのプログラム。
【手続補正２】
【補正対象書類名】明細書
【補正対象項目名】００１４
【補正方法】変更
【補正の内容】
【００１４】
本発明の一態様に係る画像形成装置は以下のような構成を備える。即ち、
画像形成のためのデータをアーカイブするアーカイブサーバと接続し、情報処理装置から受信したデータに基づいて画像を形成する画像形成装置であって、
受信したデータが前記情報処理装置によって前記アーカイブサーバにアーカイブ済かどうかを判定する判定手段と、
前記判定手段によりアーカイブ済と判定された場合に前記受信したデータに基づく画像形成を行うよう制御し、アーカイブ済でないと判定された場合に前記受信したデータに基づく画像形成を行わないよう制御する制御手段とを有することを特徴とする。
【手続補正３】
【補正対象書類名】明細書
【補正対象項目名】００１５
【補正方法】変更
【補正の内容】
【００１５】
本発明一態様に係るアーカイブシステムは以下のような構成を備える。即ち、
少なくとも１つの情報処理装置、画像形成装置及びアーカイブサーバがネットワークを介して接続されたアーカイブシステムであって、
前記情報処理装置から前記アーカイブサーバにデータを転送してアーカイブさせる手段と、
前記データに前記アーカイブサーバにアーカイブ済であることを示す情報を設定して前記情報処理装置から前記画像形成装置に送信させる手段と、
前記アーカイブ済であることを示す情報を含むデータを受信した前記画像形成装置において、当該データを前記アーカイブサーバにアーカイブさせることなく前記データに基づく画像形成を行わせる手段とを有することを特徴とする。
【手続補正４】
【補正対象書類名】明細書
【補正対象項目名】００１６
【補正方法】変更
【補正の内容】
【００１６】
本発明の一態様に係る画像形成装置の制御方法は以下のような工程を備える。即ち、
画像形成のためのデータをアーカイブするアーカイブサーバと接続し、情報処理装置から受信したデータに基づいて画像を形成する画像形成装置の制御方法であって、
受信したデータが前記情報処理装置によって前記アーカイブサーバにアーカイブ済かどうかを判定する判定工程と、
前記判定工程でアーカイブ済と判定した場合に前記受信したデータに基づく画像形成を行い、アーカイブ済でないと判定した場合に前記受信したデータに基づく画像形成を行わないよう制御する制御工程とを有することを特徴とする。
【手続補正５】
【補正対象書類名】明細書
【補正対象項目名】００１７
【補正方法】変更
【補正の内容】
【００１７】
本発明の一態様に係るアーカイブシステムの制御方法は以下のような工程を備える。即ち、
少なくとも１つの情報処理装置、画像形成装置及びアーカイブサーバをネットワークを介して接続したアーカイブシステムの制御方法であって、
前記情報処理装置から前記アーカイブサーバにデータを転送してアーカイブさせる工程と、
前記データに前記アーカイブサーバにアーカイブ済であることを示す情報を設定して前記情報処理装置から前記画像形成装置に送信させる工程と、
前記アーカイブ済であることを示す情報を含むデータを受信した前記画像形成装置において、当該データを前記アーカイブサーバにアーカイブさせることなく前記データに基づく画像形成を実行させる工程とを有することを特徴とする。